(57)【要約】【課題】保持片で保持されている綴じ足がその軸方向にずれにくいファイル用綴じ具を提供する。【解決手段】ファイル用綴じ具２０は、金属製のスプリングからなる綴じ足２２ａ、２２ｂと、合成樹脂からなる押え部材３０とを含む。押え部材３０には、綴じ足２２ａ、２２ｂを通すための挿通孔３２ａ、３２ｂが形成され、さらに、綴じ足２２ａ、２２ｂを保持するための保持片３４ａ、３４ｂが形成される。押え部材３０には、挿通孔３２ａと保持片３４ａとの間に、保持片３４ａで保持されている綴じ足２２ａがその軸方向にずれることを防止するためのくさび状の突起部４０ａが形成され、挿通孔３２ｂと保持片３４ｂとの間に、保持片３４ｂで保持されている綴じ足２２ｂがその軸方向にずれることを防止するためのくさび状の突起部４０ｂが形成される。【選択図】図３
2007055213.tif 000002
【特許請求の範囲】
【請求項１】
金属製のスプリングからなる綴じ足、および
前記綴じ足を通すための挿通孔および前記挿通孔に通され曲げられた前記綴じ足を保持するための保持片が形成された押え部材を備え、
前記綴じ足を前記保持片で保持している際に前記綴じ足に係合して前記綴じ足が前記綴じ足の軸方向にずれることを防止するためのくさび状の突起部が前記押え部材において前記挿通孔の近傍に形成された、ファイル用綴じ具。
【請求項２】
前記突起部は、その先端部が前記保持片で保持されている前記綴じ足の軸方向を横切る方向にのびて形成された、請求項１に記載のファイル用綴じ具。
【請求項３】
前記保持片は前記綴じ足を保持する際に前記綴じ足を挿入するための開口部を有し、
前記突起部が前記綴じ足に係合するように前記綴じ足を前記突起部上に案内するための傾斜部が前記保持片の前記開口部側において前記突起部の端部に形成された、請求項１または請求項２に記載のファイル用綴じ具。
【発明の詳細な説明】
【技術分野】
【０００１】
この発明はファイル用綴じ具に関し、特に金属製のスプリングからなる綴じ足を有し、たとえば紙などに形成された綴じ穴に綴じ足を通して紙などを綴じるファイルに用いられるファイル用綴じ具に関する。
【背景技術】
【０００２】
この発明の背景となる従来のファイル用綴じ具には、金属製のスプリングからなる綴じ足と、綴じ足を通すための挿通孔および綴じ足を保持するための保持片が形成された押え部材とを有し、綴じ足を紙などに形成された綴じ穴とともに押え部材に形成された挿通孔に通し、綴じ足の先端側部分を押え部材上に曲げて保持片で保持することよって、紙などを綴じるものがあった（たとえば特許文献１参照）。
このようなファイル用綴じ具では、綴じ足を保持片から外せば、綴じ足が直立した状態になるので、綴じ足を紙などに形成された閉じ穴に通しやすく、そのため、紙などを綴じやすい。
【０００３】
【特許文献１】実開平７−１８８８２号公報（図１３）
【発明の開示】
【発明が解決しようとする課題】
【０００４】
ところが、上述のような従来のファイル用綴じ具では、保持片で保持されている綴じ足が、綴じ足の軸方向に滑ってずれやすいので、保持片から緩みやすく、場合によっては保持片から外れてしまう。
【０００５】
それゆえに、この発明の主たる目的は、保持片で保持されている綴じ足がその軸方向にずれにくいファイル用綴じ具を提供することである。
【課題を解決するための手段】
【０００６】
この発明にかかるファイル用綴じ具は、金属製のスプリングからなる綴じ足と、綴じ足を通すための挿通孔および挿通孔に通され曲げられた綴じ足を保持するための保持片が形成された押え部材とを備え、綴じ足を保持片で保持している際に綴じ足に係合して綴じ足が綴じ足の軸方向にずれることを防止するためのくさび状の突起部が押え部材において挿通孔の近傍に形成された、ファイル用綴じ具である。
この発明にかかるファイル用綴じ具では、保持片で保持されている綴じ足にくさび状の突起部が係合するので、保持片で保持されている綴じ足が綴じ足の軸方向に滑りにくくなってずれにくくなり、そのため、保持片で保持されている綴じ足が保持片から緩みにくくなって外れにくくなる。
この発明にかかるファイル用綴じ具では、くさび状の突起部は、その先端部が保持片で保持されている綴じ足の軸方向を横切る方向にのびて形成されていることが好ましい。
このようにくさび状の突起部の先端部が保持片で保持されている綴じ足の軸方向を横切る方向にのびていると、突起部の先端部がスプリングからなる綴じ足に係合しやすくなる。
この発明にかかるファイル用綴じ具では、保持片は綴じ足を保持する際に綴じ足を挿入するための開口部を有し、突起部が綴じ足に係合するように綴じ足を突起部上に案内するための傾斜部が保持片の開口部側において突起部の端部に形成されていることが好ましい。
このように突起部の端部に傾斜部が形成されていると、綴じ具を保持片で保持する際に、綴じ足が傾斜部によってくさび状の突起部上に案内されるので、綴じ足にくさび状の突起部が係合しやすくなる。
【発明の効果】
【０００７】
この発明によれば、保持片で保持されている綴じ足がその軸方向にずれにくいファイル用綴じ具が得られる。
【０００８】
この発明の上述の目的、その他の目的、特徴および利点は、図面を参照して行う以下の発明を実施するための最良の形態の説明から一層明らかとなろう。
【発明を実施するための最良の形態】
【０００９】
図１はこの発明が適用されるファイルの一例を示す斜視図であり、図２はそのファイルの綴じ足を保持片から外した状態を示す斜視図であり、図３はそのファイルの押え部材を綴じ足から外した状態を示す斜視図であり、図４はそのファイルの要部を示す部分断面図解図である。また、図５は、そのファイルに用いられる押え部材を示す斜視図であり、図６はその押え部材の平面図であり、図７は図６の線ＶＩＩ−ＶＩＩにおける断面図である。
【００１０】
図１に示すファイル１０は、たとえば厚紙などの紙やたとえばポリプロピレンなどの合成樹脂からなる表紙１２を含む。表紙１２は、長方形状の表表紙１２ａおよび裏表紙１２ｂを含み、表表紙１２ａおよび裏表紙１２ｂ間には、短冊状の背表紙１２ｃが形成される。また、裏表紙１２ｂの内面側において、背表紙１２ｃ側には、取付部１４が形成される。取付部１４は、後述のファイル用綴じ具２０を取り付けるためのものである。取付部１４は、互いに重なるように２つに折り畳まれる２つの帯状の取付片１４ａおよび１４ｂを含む。これらの取付片１４ａおよび１４ｂは互いに接続されて形成され、一方の取付片１４ａは背表紙１２ｃからのびて形成され、他方の取付片１４ｂは裏表紙１２ｂからのびて形成される。なお、表表紙１２ａは、背表紙１２ｃからのびて形成される。
【００１１】
表紙１２の取付部１４の一方の取付片１４ａには、図３に示すように、その長手方向における中間部に、たとえば略同一径の円形状の２つの取付用孔１６ａおよび１６ｂが、その長手方向に間隔を隔てて形成される。これらの取付用孔１６ａおよび１６ｂは、後述のファイル用綴じ具２０の綴じ足２２ａおよび２２ｂを通すためのものである。また、取付部１４の２つの取付片１４ａおよび１４ｂは、互いに重なった状態で、たとえばステップルや接着剤などの固着具（図示せず）によって固着される。なお、２つの取付片１４ａおよび１４ｂは、取付用孔１６ａおよび１６ｂに後述のファイル用綴じ具２０の綴じ足２２ａおよび２２ｂを通した後に固着される。
【００１２】
ファイル用綴じ具２０は、全体が変形可能な金属製のスプリングからなる２つの綴じ足２２ａおよび２２ｂを含む。一方の綴じ足２２ａは、直線状の中間部２４ａを含む。中間部２４ａは、取付用孔１６ａ、１６ｂに挿通できるように取付用孔１６ａ、１６ｂの径より小さい一定の径のコイル状に形成され、曲げなどの変形が可能であるとともに曲げなどの変形に対して直線状に復元する復元力を有する。また、綴じ足２２ａの一端部としての基端部２６ａは、中間部２４ａの径より大きい径の円板状に形成され、綴じ足２２ａの他端部としての先端部２８ａは、中間が中間部２４ａの径より大きい径に膨らみ先端が細く突き出た形状に形成される。
他方の綴じ足２２ｂも、一方の綴じ足２２ａと同一構造に形成され、一方の綴じ足２２ａの中間部２４ａ、基端部２６ａおよび先端部２８ａと同一構造の中間部２４ｂ、基端部２６ｂおよび先端部２８ｂを有する。
【００１３】
これらの綴じ足２２ａおよび２２ｂは、表紙１２の取付部１４に取り付けられる。この場合、綴じ足２２ａおよび２２ｂは、中間部２４ａおよび２４ｂが一方の取付片１４ａに形成された取付用孔１６ａおよび１６ｂにそれぞれ通され、基端部２６ａおよび２６ｂが取付部１４の取付片１４ａおよび１４ｂ間に配置され、中間部２４ａ、２４ｂおよび先端部２８ａ、２８ｂが取付部１４の取付片１４ａの主面に対して直立するように配置される。
【００１４】
さらに、ファイル用綴じ具２０は、たとえばポリプロピレンなどの合成樹脂からなる短冊状の押え部材３０を含む。押え部材３０には、図５および図６に示すように、その長手方向における中間部に、２つの挿通孔３２ａおよび３２ｂが、押え部材３０の長手方向に間隔を隔てて形成される。これらの挿通孔３２ａおよび３２ｂは、押え部材３０の裏面側が表紙１２の取付部１４側に対向するように綴じ足２２ａおよび２２ｂを押え部材３０の裏面側から表面側に通すためのものであり、押え部材３０の表面から裏面にわたって形成される。
一方の挿通孔３２ａは、幅が一方の綴じ足２２ａの中間部２４ａの径より広いが先端部２８ａの最大径より狭い狭部分と、その狭部分に通じるとともに幅がその先端部２８ａの最大径より広い広部分とを有し、その広部分は押え部材３０の長手方向においてその狭部分より中央側に形成される。
同様に、他方の挿通孔３２ｂも、幅が他方の綴じ足２２ｂの中間部２４ｂの径より広いが先端部２８ｂの最大径より狭い狭部分と、その狭部分に通じるとともに幅がその先端部２８ｂの最大径より広い広部分とを有し、その広部分は押え部材３０の長手方向においてその狭部分より中央側に形成される。
これらの挿通孔３２ａおよび３２ｂは、それらの狭部分において広部分とは反対側の端部が、取付用孔１６ａおよび１６ｂに対応するように形成される。
【００１５】
また、押え部材３０の表面には、図５に示すように、その長手方向において一方の挿通孔３２ａの外側、すなわち挿通孔３２ａより押え部材３０の長手方向における一端部側に、一方の保持片３４ａが形成される。この保持片３４ａは、断面略Ｌ字状に形成され、押え部材３０の幅方向における一端側に一方の綴じ足２２ａの中間部２４ａを挿入するための開口部３６ａを有する。この保持片３４ａは、押え部材３０の裏面側から一方の挿通孔３２ａに通されかつ押え部材３０の表面側で押え部材３０の長手方向における一端部側に曲げられた一方の綴じ足２２ａの中間部２４ａを、押え部材３０の幅方向における一端側に形成された開口部３６ａから挿入して保持するためのものである。この保持片３４ａの内側部分は、綴じ足２２ａの中間部２４ａの表面に略対応して内側に湾曲した湾曲面状に形成される。
同様に、押え部材３０の表面には、その長手方向において他方の挿通孔３２ｂの外側、すなわち挿通孔３２ｂより押え部材３０の長手方向における他端部側に、他方の保持片３４ｂが形成される。この保持片３４ｂは、断面略Ｌ字状に形成され、押え部材３０の幅方向における他端側に他方の綴じ足２２ｂの中間部２４ｂを挿入するための開口部３６ｂを有する。この保持片３４ｂは、押え部材３０の裏面側から他方の挿通孔３２ｂに通されかつ押え部材３０の表面側で押え部材３０の長手方向における他端部側に曲げられた他方の綴じ足２２ｂの中間部２４ｂを、押え部材３０の幅方向における他端側に形成された開口部３６ｂから挿入して保持するためのものである。この保持片３４ｂの内側部分は、綴じ足２２ｂの中間部２４ｂの表面に略対応して内側に湾曲した湾曲面状に形成される。
【００１６】
一方の保持片３４ａの内側部分には、図４および図５に示すように、押え部材３０の長手方向における中央側の端部とは反対側の端部に、押え部材３０の幅方向に見て断面略３角形状の突出部３８ａが形成される。この突出部３８ａは、一方の保持片３４ａで保持されている一方の綴じ足２２ａがその綴じ足２２ａの軸方向に移動しても、その綴じ足２２ａの中間部２４ａの径より大きい径に中間が膨らんだ先端部２８ａが引っ掛かってその綴じ足２２ａがその保持片３４ａから抜けにくくするためのものである。
同様に、他方の保持片３４ｂの内側部分にも、押え部材３０の長手方向における中央側の端部とは反対側の端部に、押え部材３０の幅方向に見て断面略３角形状の突出部３８ｂが形成される。この突出部３８ｂは、他方の保持片３４ｂで保持されている他方の綴じ足２２ｂがその綴じ足２２ｂの軸方向に移動しても、その綴じ足２２ｂの中間部２４ｂの径より大きい径に中間が膨らんだ先端部２８ｂが引っ掛かってその綴じ足２２ｂがその保持片３４ｂから抜けにくくするためのものである。
【００１７】
押え部材３０の表面には、一方の挿通孔３２ａと一方の保持片３４ａとの間であって挿通孔３２ａの近傍に、くさび状の一方の突起部４０ａが、それらの挿通孔３２ａおよび保持片３４ａとともに一直線状に並んで形成される。この突起部４０ａは、一方の綴じ足２２ａを一方の保持片３４ａで保持している際に、その綴じ足２２ａの中間部２４ａのコイル間の隙間またはコイルの端縁に係合して、その綴じ足２２ａがその軸方向にずれることを防止するためのものである。この突起部４０ａの外側の端と保持片３４ａの内側の端との間には、上述のように押え部材３０の長手方向における一端部側に曲げられた一方の綴じ足２２ａの中間部２４ａを導くことができる間隔を有する。また、この突起部４０ａは、押え部材３０の幅方向に見て断面略３角形状に形成され、その高さは、保持片３４ａの上部における下面より低く、綴じ足２２ａの中間部２４ａに係合するが綴足２２ａの中間部２４ａを保持片３４ａの上部の下に導くことができる高さを有する。さらに、突起部４０ａは、その先端部が押え部材３０の幅方向における一端側から他端側にのびて形成されている。すなわち、突起部４０ａは、その先端部が保持片３４ａで保持されている綴じ足２２ａの軸方向を直角に横切る方向にのびて形成されている。
同様に、押え部材３０の表面には、他方の挿通孔３２ｂと他方の保持片３４ｂとの間であって挿通孔３２ｂの近傍に、くさび状の他方の突起部４０ｂが、挿通孔３２ｂおよび保持片３４ｂとともに一直線状に並んで形成される。この突起部４０ｂは、他方の綴じ足２２ｂを他方の保持片３４ｂで保持している際に、その綴じ足２２ｂの中間部２４ｂのコイル間の隙間またはコイルの端縁に係合して、その綴じ足２２ｂがその軸方向にずれることを防止するためのものである。この突起部４０ｂの外側の端と保持片３４ｂの内側の端との間にも、他方の綴じ足２２ｂの中間部２４ｂを導くことができる間隔を有する。この突起部４０ｂも、押え部材３０の幅方向に見て断面略３角形状に形成され、その高さは、保持片３４ｂの上部における下面より低く、綴じ足２２ｂの中間部２４ｂに係合するが綴じ足２２ｂの中間部２４ｂを保持片３４ｂの上部の下に導くことができる高さを有する。さらに、突起部４０ｂは、その先端部が押え部材３０の幅方向における一端側から他端側にのびて形成されている。すなわち、突起部４０ｂは、その先端部が保持片３４ｂで保持されている綴じ足２２ｂの軸方向を直角に横切る方向にのびて形成されている。
【００１８】
一方の突起部４０ａの端部には、図５および図７に示すように、一方の保持片３４ａの開口部３６ａ側において、たとえば裾広がりの３角形状の斜面を有する傾斜部４２ａが形成される。この傾斜部４２ａは、一方の突起部４０ａが一方の綴じ足２２ａの中間部２４ａに係合するようにその綴じ足２２ａの中間部２４ａをその突起部４０ａ上に案内するためのものである。
同様に、他方の突起部４０ｂの端部には、他方の保持片３４ｂの開口部３６ｂ側において、たとえば裾広がりの３角形状の斜面を有する傾斜部４２ｂが形成される。この傾斜部４２ｂは、他方の突起部４０ｂが他方の綴じ足２２ｂの中間部２４ｂに係合するようにその綴じ足２２ｂの中間部２４ｂをその突起部４０ｂ上に案内するためのものである。
【００１９】
さらに、押え部材３０の表面には、その幅方向における他端側に沿って、かつ、保持片３４ａの両側部から両側にのびて、一方の壁部４６ａが、押え部材３０の表面より立ち上がるように形成される。この壁部４６ａは、保持片３４ａを補強して外力から保護するとともに、保持片３４ａで保持されている綴じ足２２ａが不必要な部分たとえば押え部材３０の幅方向における他端側の外側の部分に変位しにくいように綴じ足２２ａの動きを規制するためのものである。
同様に、他方の壁部４６ｂが、押え部材３０の表面より立ち上がるように、その幅方向における一端側に沿って、かつ、保持片３４ｂの両側部から両側にのびて形成される。この壁部４６ｂは、保持片３４ｂを補強して外力から保護するとともに、保持片３４ｂで保持されている綴じ足２２ｂが不必要な部分たとえば押え部材３０の幅方向における一端側の外側の部分に変位しにくいように綴じ足２２ｂの動きを規制するためのものである。
【００２０】
このファイル１０では、綴じ足２２ａおよび２２ｂを保持片３４ａおよび３４ｂから外し、押え部材３０を綴じ足２２ａおよび２２ｂから外すと、図３に示すように、綴じ足２２ａおよび２２ｂが復元力によって直立した状態になるので、綴じ足２２ａおよび２２ｂを紙などに形成された綴じ穴に通しやすい。
【００２１】
また、このファイル１０では、紙などに形成された綴じ穴に通した綴じ足２２ａおよび２２ｂに押え部材３０を取り付けるためには、まず、図２に示すように、綴じ足２２ａおよび２２ｂの先端部２８ａおよび２８と中間部２４ａおよび２４ｂとを押え部材３０の裏面側から挿通孔３２ａおよび３２ｂに通して、綴じ足２２ａおよび２２ｂを通した綴じ穴が形成された紙などの表面に押え部材３０の裏面を対向し、次に、図１に示すように、綴じ足２２ａおよび２２ｂの先端部２８ａおよび２８と中間部２４ａおよび２４ｂとを押え部材３０の表面側で保持片３４ａおよび３４ｂ側に曲げ、綴じ足２２ａおよび２２ｂの中間部２４ａおよび２４ｂを保持片３４ａおよび３４ｂの開口部３６ａおよび３６ｂから挿入することによって、綴じ足２２ａおよび２２ｂの中間部２４ａおよび２４ｂが保持片３４ａおよび３４ｂで保持される。
【００２２】
この場合、このファイル１０では、一方の保持片３４ａで保持されている一方の綴じ足２２ａの中間部２４ａに、くさび状の一方の突起部４０ａが係合するので、綴じ足２２ａが、綴じ足２２ａの軸方向に滑りにくくてずれにくく、そのため、保持片３４ａから緩みにくくて外れにくい。同様に、他方の保持片３４ｂで保持されている他方の綴じ足２２ｂの中間部２４ｂに、くさび状の他方の突起部４０ｂが係合するので、綴じ足２２ｂが、綴じ足２２ｂの軸方向に滑りにくくてずれにくく、保持片３４ｂから緩みにくくて外れにくい。
【００２３】
さらに、このファイル１０では、くさび状の突起部４０ａおよび４０ｂは、先端部が保持片３４ａおよび３４ｂで保持されている綴じ足２２ａおよび２２ｂの中間部２４ａおよび２４ｂの軸方向を直角に横切る方向にのびて形成されているので、突起部４０ａおよび４０ｂの先端部がスプリングからなる綴じ足２２ａおよび２２ｂの中間部２４ａおよび２４ｂに係合しやすい。
【００２４】
また、このファイル１０では、保持片３４ａの開口部３６ａ側において突起部４０ａの端部に傾斜部４２ａが形成されているので、綴じ足２２ａの中間部２４ａを保持片３４ａで保持する際に、綴じ足２２ａの中間部２４ａが傾斜部４２ａによってくさび状の突起部４０ａ上に案内され、そのため、一方の綴じ足２２ａの中間部２４ａにくさび状の一方の突起部４０ａが係合しやすい。同様に、突起部４０ｂの端部に傾斜部４２ｂが形成されているので、他方の綴じ足２２ｂの中間部２４ｂに、くさび状の他方の突起部４０ｂが係合しやすい。
【００２５】
さらに、このファイル１０では、綴じ足２２ａの基端部２６ａの近傍に位置する挿通孔３２ａと綴じ足２２ａを保持する保持片３４ａとの間に突起部４０ａが形成されているので、綴じ足２２ａを保持片３４ａの開口部３６ａから挿入することによって、綴じ足２２ａの中間部２４ａを突起部４０ａ側に移動して、一方の突起部４０ａを一方の綴じ足２２ａの中間部２４ａに係合することができる。同様にして、他方の突起部４０ｂを他方の綴じ足２２ｂの中間部２４ｂに係合することができる。
【００２６】
また、このファイル１０では、保持片３４ａの内側部分に突出部３８ａが形成されているので、保持片３４ａで保持されている綴じ足２２ａがその綴じ足２２ａの軸方向に移動しても、その綴じ足２２ａの先端部２８ａが引っ掛かって、一方の綴じ足２２ａが一方の保持片３４ａから抜けにくい。同様に、他方の綴じ足２２ｂは、他方の保持片３４ｂから抜けにくい。
【００２７】
さらに、このファイル１０では、押え部材３０の挿通孔３２ａおよび３２ｂにおいて取付用孔１６ａおよび１６ｂに対応する部分が、綴じ足２２ａおよび２２ｂの先端部２８ａおよび２８ｂの最大径よりそれぞれ細いので、綴じ足２２ａおよび２２ｂから綴じ足３０を外そうとしても綴じ足２２ａおよび２２ｂの先端部２８ａおよび２８ｂが押え部材３０に引っ掛かり、綴じ足２２ａおよび２２ｂから押え部材３０が不用意に外れにくい。なお、実際に、綴じ足２２ａおよび２２ｂから綴じ足３０を外す際には、綴じ足２２ａおよび２２ｂを曲げてそれらの先端部２８ａおよび２８ｂを押え部材３０に形成された挿通孔３２ａおよび３２ｂの広部分に通して外せばよい。
【００２８】
また、このファイル１０では、保持片３４ａおよび３４ｂの開口部３６ａおよび３６ｂが押え部材３０の幅方向における一端側および他端側にそれぞれ存在するので、押え部材３０の幅方向における片側への外力によっては２つの綴じ足２２ａおよび２２ｂが２つの保持片３４ａおよび３４ｂから同時に外れることがない。
【００２９】
さらに、このファイル１０では、保持片３４ａおよび３４ｂの両側に壁部４６ａおよび４６ｂが形成されているので、保持片３４ａおよび３４ｂが補強されるとともに、綴じ足２２ａおよび２２ｂの不要な動きが規制される。
【００３０】
上述のファイル１０では、ファイル用綴じ具２０が表紙１２の取付部１４に取り付けられているが、ファイル用綴じ具２０は表紙１２の裏表紙１２ｂなど他の部分に取り付けられてもよい。
【００３１】
また、上述のファイル１０では、ファイル用綴じ具２０において、くさび状の突起部４０ａおよび４０ｂが上向きに形成されているが、突起部４０ａおよび４０ｂは、綴じ足２２ａおよび２２ｂに係合するなら横向きや下向きなど他の向きに形成されてもよい。
【００３２】
さらに、上述のファイル１０では、ファイル用綴じ具２０において、くさび状の突起部４０ａおよび４０ｂは、それらの先端部が保持片３４ａおよび３４ｂで保持されている綴じ足２２ａおよび２２ｂの中間部２４ａおよび２４ｂの軸方向を直角に横切る方向にのびて形成されているが、一方のくさび状の突起部４０ａの先端部は、一方の保持片３４ａで保持されている綴じ足２２ａの中間部２４ａの軸方向を斜めに横切る方向にのびて形成されてもよく、また、他方のくさび状の突起部４０ｂの先端部は、他方の保持片３４ｂで保持されている綴じ足２２ｂの中間部２４ｂの軸方向を斜めに横切る方向にのびて形成されてもよい。
【００３３】
また、上述のファイル１０では、ファイル用綴じ具２０の押え部材３０において、保持片３４ａおよび３４ｂの近傍に成型金型用孔４４ａおよび４４ｂが形成されているが、これらの成型金型用孔４４ａおよび４４ｂは形成されなくてもよい。
【００３４】
さらに、上述のファイル１０における各部分の形状や大きさは、単なる一例であって、他の形状や他の大きさに形成されてもよい。
【産業上の利用可能性】
【００３５】
この発明にかかるファイル用綴じ具は、たとえば紙などを綴じるファイルに適用される。
【図面の簡単な説明】
【００３６】
【図１】この発明が適用されるファイルの一例を示す斜視図である。
【図２】図１に示すファイルの綴じ足を保持片から外した状態を示す斜視図である。
【図３】図１に示すファイルの押え部材を綴じ足から外した状態を示す斜視図である。
【図４】図１に示すファイルの要部を示す部分断面図解図である。
【図５】図１に示すファイルに用いられる押え部材を示す斜視図である。
【図６】図５に示す押え部材の平面図である。
【図７】図６の線ＶＩＩ−ＶＩＩにおける断面図である。
【符号の説明】
【００３７】
１０  ファイル
１２  表紙
１２ａ  表表紙
１２ｂ  裏表紙
１２ｃ  背表紙
１４  取付部
１４ａ、１４ｂ  取付片
１６ａ、１６ｂ  取付用孔
２０  ファイル用綴じ具
２２ａ、２２ｂ  綴じ足
２４ａ、２４ｂ  中間部
２６ａ、２６ｂ  基端部
２８ａ、２８ｂ  先端部
３０  押え部材
３２ａ、３２ｂ  挿通孔
３４ａ、３２ｂ  保持片
３６ａ、３６ｂ  開口部
３８ａ、３８ｂ  突出部
４０ａ、４０ｂ  突起部
４２ａ、４２ｂ  傾斜部
４４ａ、４４ｂ  成型金型用孔
４６ａ、４６ｂ  壁部
【図１】
2007055213.tif 000003
【図２】
2007055213.tif 000004
【図３】
2007055213.tif 000005
【図４】
2007055213.tif 000006
【図５】
2007055213.tif 000007
【図６】
2007055213.tif 000008
【図７】
2007055213.tif 000009